(57)【要約】      （修正有）【課題】テーブルの天板の高さを使用者の座高に応じて容易に調整することができ、しかも低コストで製作することができる昇降装置を提供する。【解決手段】固定脚部３と可動脚部４の何れか一方側に夫々縦長のラック８を、反対側にラック８に対応させて夫々ロック部材Ｃを装着し、該左右のロック部材Ｃは一側に切欠き９を設けたケース１０内に、先端がバネ１３の付勢力により上向きに回動して切欠き９から突出し、かつ切欠き９の端部に後側縁が当接した状態でラック８に係合するロック爪１１の基端を軸着してなり、上記左右のロック爪１の下部には連結孔を穿設し、左右の伸縮脚間には操作杆１１を前後動可能に配設し、その両端に設けたピン２２を前記連結孔に遊嵌し、操作杆１３に設けたハンドルを手前に引くことにより、ロック爪１１がバネ１３に抗してラック８から離脱するように構成したことを特徴とする。【選択図】図３
0003172244.tif 000002
【実用新案登録請求の範囲】
【請求項１】
固定脚部に可動脚部を昇降自在に支持させた左右の伸縮脚上に天板を固定したテーブルの昇降装置であって、固定脚部と可動脚部の何れか一方側に夫々縦長のラックを、反対側にラックに対応させて夫々ロック部材を装着し、該左右のロック部材は一側に切欠きを設けたケース内に、先端がバネの付勢力により上向きに回動して切欠きから突出し、且つ切欠きの端部に後側縁が当接した状態でラックに係合するロック爪の基端を軸着してなり、上記左右のロック爪の下部には連結孔を穿設し、左右の伸縮脚間には操作杆を前後動可能に配設し、その両端に設けたピンを前記連結孔に遊嵌し、上記操作杆に設けたハンドルを手前に引くことにより、ロック爪がバネに抗してラックから離脱するように構成したことを特徴とするテーブルにおける天板の昇降装置。
【考案の詳細な説明】
【技術分野】
【０００１】
本考案は、テーブルの天板の高さを調整することができる昇降装置に関するものである。
【背景技術】
【０００２】
特開平１１−１２７９６３号公報には、左右の固定側部材（１０）にピニオン（１３）と爪部材（４０）を設け、上記左右の固定側部材（１０）に支持されて昇降する左右の可動側部材（２０）に、上記ピニオン（１３）が歯合する標準歯型のラック（２４）と上記爪部材（４０）が係脱する鋸歯形のラチェットラック（３０）と可動側部材（２０）の上昇時に爪部材（４０）の先端を上記ラチェットラック（３０）から離脱させ、可動側部材（２０）の下降時に爪部材（４０）の先端を上記ラチェットラック（３０）に係合させるガイド用のカム穴部（６０）を設け、且つ上記左右のピニオン（１３）をシャフト（１５）により連結した昇降装置が開示されている。
【０００３】
上記昇降装置は、標準歯型のラック（２４）と鋸歯形のラチェットラック（３０）を用い、しかも可動部材（２０）の昇降に伴って、爪部材（４０）がカム穴（６０）の往路カム縁（６１）と復路カム縁（６２）に案内されてラチェットラック（３０）に係脱する複雑な構造であり、部品数も多いため、これをテーブルにおける天板の昇降装置に使用するときは、テーブルの製作費が嵩む欠点があった。
【先行技術文献】
【特許文献】
【０００４】
【特許文献１】特開平１１−１２７９６３号公報
【考案の概要】
【考案が解決しようとする課題】
【０００５】
本考案は、テーブルの天板の高さを使用者の座高に応じて容易に調整することができ、しかも低コストで製作することができる昇降装置を提供することを目的としている。
【課題を解決するための手段】
【０００６】
本考案に係る請求項１のテーブルにおける天板の昇降装置は、固定脚部に可動脚部を昇降自在に支持させた左右の伸縮脚上に天板を固定したテーブルの昇降装置であって、固定脚部と可動脚部の何れか一方側に夫々縦長のラックを、反対側にラックに対応させて夫々ロック部材を装着し、該左右のロック部材は一側に切欠きを設けたケース内に、先端がバネの付勢力により上向きに回動して切欠きから突出し、且つ切欠きの端部に後側縁が当接した状態でラックに係合するロック爪の基端を軸着してなり、上記左右のロック爪の下部には連結孔を穿設し、左右の伸縮脚間には操作杆を前後動可能に配設し、その両端に設けたピンを前記連結孔に遊嵌し、上記操作杆に設けたハンドルを手前に引くことにより、ロック爪がバネに抗してラックから離脱するように構成したことを特徴としている。
【０００７】
テーブルへの装着は、左右の伸縮脚における固定脚部に夫々ラックを固定し、可動脚部に夫々ロック部材を固定するか、反対に固定脚部にロック部材を固定し、可動脚部に夫々ラックを固定した後、左右のロック部材におけるロック爪の連結孔に、伸縮脚間に前後動可能に架け渡した操作杆の左右両端のピンを挿入する。
【０００８】
本考案の昇降装置を装着したテーブルの天板を高くする場合、天板を両手で持って引き上げると、ロック爪はラックの歯に接しながらケースの切欠きからの出没を繰り返す。これに伴ない操作杆は前後動する。天板が適当な高さになったとき、天板から手を離すと天板の荷重によりロック爪がラックの歯に支持されると共に切欠きの端部に当接し、天板が適宜の高さで安定する。
【０００９】
上記状態において、天板を低くする場合、操作杆のハンドルを手前に引き、ロック爪をバネに抗してケース内に後退させながら天板を押し下げた後、操作杆のハンドルから手を離すと、ロック爪はバネの付勢力により外側が切欠きの端部に衝突するまで回動して先端がケースの切欠きから突出し、ラックに嵌合し且つ支持され、天板は所望の低い位置で安定する。尚、操作杆はロック爪のケースからの突出に伴ない後退する。
【考案の効果】
【００１０】
本考案に係る請求項１のテーブルにおける天板の昇降装置は、上記のように天板を手動により引き上げて天板を高くし、操作杆に設けたハンドルを引きながら天板を押し下げて天板を低くするものであるから、天板の昇降が容易であり、一般のテーブルの昇降装置としても、また老人、身障者用のテーブルの昇降装置としても最適である。また部品点数が少ないため、天板が昇降するテーブルを安価に製造することができる。
【００１１】
この昇降装置のラックは、ラチェットラックではない標準歯型のラックを使用しているため、固定脚部にロック部材のケースの上下を逆にして固定し、可動脚部にラックを固定しても、上記と全く同じ動作で天板の高さ調節ができ、組立てが簡単であり、テーブルの形状とか構造に応じた使い分けができる。
【００１２】
またテーブルの使用時に天板に大きな荷重が加えられた場合、ロック爪の先端下面がラックの歯型上に支持され、更にロック爪の側縁がケースに設けた切欠きの端部に支持されて天板の下降が完全に防止されるので、テーブルを安心して使用することができる。
【図面の簡単な説明】
【００１３】
【図１】本考案に係るテーブルの昇降装置の実施形態を示す正面図である。
【図２】同上実施形態の側面図である。
【図３】同上実施形態の要部を示す縦断側面図である。
【図４】図３における細部の拡大断面図である。
【図５】同上実施形態の要部を示す横断面図である。
【図６】図５における細部の拡大断面図である。
【図７】図３におけるＸ−Ｘ断面図である。
【考案を実施するための形態】
【００１４】
以下、本考案に係るテーブルの昇降装置の実施形態を図１〜図７を参照して詳細に説明する。
【００１５】
符号Ａは木製のテーブルであり、左右の基台１と天板２とを、左右一対の昇降脚Ｂにより連結している。この昇降脚Ｂは基台１上に樹立した固定脚３と、天板２から垂設し且つ下端を固定脚３に昇降自在に挿入した可動脚４とよりなり、固定脚３の内側上端より下方に向かって断面Ｃ型の金属レール５を埋設し、この金属レール５の前後両縁部６に可動脚４の前後両側に設けた縦溝７を挿入している。
【００１６】
上記金属レール５内の後側上端より下方に亘ってプラスチック製で標準歯型のラック８を固定し、可動脚４の後側にはプラスチック製のロック部材Ｃを埋設している。このロック部材Ｃは後側に切欠き９を設けたケース１０内の上部に、Ｌ型をしたロック爪１１の上端を軸着し、ケース１０内の下部に、歯車１２を回動自在に軸着し、ロック爪１１は、バネ１３の付勢力により後側面１４がケース１０における切欠き９の端部9aに当接するまで回動し、先端が切欠き９よりケース１０の後側に突出して前記ラック８に係合している。尚上記した歯車１２に軸部には必要に応じて嵌合する駆動軸の連結孔１５を穿設している。
【００１７】
符号１６は左右の昇降脚Ｂ，Ｂ間に配設した操作杆であり、左右の可動脚４の連結用幕板１７の後側面に形成した横溝１８内に前後に移動可能に挿入している。この操作杆１６の前面には突軸１９を設け、幕板１７の透孔２０を進退自在に貫通した突軸１９の先端に操作杆１６を手前に引っ張るためのハンドル２１を固定している。
【００１８】
上記操作杆１６の両端にはピン２２を固定している。このピン２２は可動脚４及びケース１０に形成した前後方向に長い横孔２３，２４を貫通し、且つその先端をロック爪１１の下部に穿設した連結孔２５に回動可能に挿入している。
【００１９】
尚、符号２６は左右の固定脚３を連結した幕板であり、２７，２８は固定脚３の幕板２６上部と、可動脚４の幕板１７下部とに固定した可動脚４の離脱防止用ストッパーである。
【００２０】
本考案に係る昇降装置の実施形態において、天板２を両手で持って引き上げると、ロック爪１１はラック８の歯に接しながらケース１０の切欠き９からの出没を繰り返す。これに伴ない操作杆１６は前後動する。天板２が適当な高さになったとき、天板２から手を離すと天板２の荷重によりロック爪１１がラック８の歯に支持されると共に切欠き９の端部9aに当接し、天板２を所望の高さに調節し、安定させることができる。
【００２１】
上記状態において、操作杆１６のハンドル２１を手前に引き、ロック爪１１をバネ１３に抗してケース１０内に後退させながら天板２を押し下げた後、ハンドル２１から手を離すと、ロック爪１１はバネ１３の付勢力により後側面１４が切欠き９の端部9aに衝突するまで回動して先端がケース１０から突出し、ラック８に嵌合し且つ支持され、天板２を所望の低位置に調節し、安定させることができる。尚、操作杆１６はロック爪１１の突出に伴ない後退する。
【００２２】
上記実施形態にあっては、ロック部材Ｃにおけるケース１０内に、ロック爪１１と歯車１２を軸着しているが、この場合の歯車１２は天板２の昇降に伴ない自転し、ロック部材の昇降を補佐するものであるが、必要に応じて駆動軸とか補強杆により連結することも可能である。
【００２３】
尚、上記の実施形態は、テーブルＡおける固定脚部３に夫々ラック８を固定し、可動脚部４に夫々ロック部材Ｃを固定したが、固定脚部３にロック部材Ｃを固定し、可動脚部４に夫々ラック８を固定し、左右のロック部材Ｃにおけるロック爪１１の連結孔１５に、伸縮脚Ｂ間に配設した操作杆１６の左右のピンを遊嵌しても、天板の高さが調節可能なテーブルを構成することが可能である。
【符号の説明】
【００２４】
Ａ        テーブル
Ｂ        昇降脚
Ｃ        ロック部材
１        基  台
２        天  板
３        固定脚
４        可動脚
５        金属レール
６        金属レールの両縁部
７        縦  溝
８        ラック
９        切欠き
９ａ      切欠きの端部
１０      ケース
１１      ロック爪
１１ａ    ロック爪の後側縁
１２      歯  車
１３      バ  ネ
１４      後側縁
１５      連結孔
１６      操作杆
１７      連結用幕板
１８      横  溝
１９      突  軸
２０      透  孔
２１      ハンドル
２２      ピ  ン
２３      横  孔
２４      横  孔
２５      連結孔
２６      連結用幕板
２７      ストッパー
２７      ストッパー
【図１】
0003172244.tif 000003
【図２】
0003172244.tif 000004
【図３】
0003172244.tif 000005
【図４】
0003172244.tif 000006
【図５】
0003172244.tif 000007
【図６】
0003172244.tif 000008
【図７】
0003172244.tif 000009